(57)【要約】【課題】オートフォーカスカメラに好適なリアフォーカス、インナーフォーカス式で防振機能を備え、高画質でコンパクトな望遠ズームレンズ及びそれを用いた光学装置を提供すること。【解決手段】物体側から順に正の第１レンズ群と、負の第２レンズ群と、正の第３レンズ群、及び後群を有し、前記レンズ群どうしの間隔を変化させてズーミングを行い、広角端から望遠端へのズーミングに際し、前記後群中最も負の屈折力の強いレンズ群を物体側へ移動させ、前記第３群全体又は一部のレンズ群で防振を行い、ｆｔを望遠端における全系の焦点距離、ｍＲＰを広角端から望遠端へズーミングする際の前記後群中最も正の屈折力の強いレンズ群の光軸方向の移動量、ｍＲＮを広角端から望遠端へズーミングする際の前記後群中最も負の屈折力の強いレンズ群の光軸方向の移動量としたとき、          ０．０４  ＜  ｜ｍＲＮ−ｍＲＰ｜／ｆｔ  ＜０．０６なる条件を満足させること。【選択図】  図１
2014041223.tif 000002
【特許請求の範囲】
【請求項１】
物体側から順に正の屈折力を有する第１レンズ群と、負の屈折力を有する第２レンズ群と、正の屈折力を有する第３レンズ群、及び複数のレンズ群より成る後群を有し、ズーミングに際して、前記レンズ群どうしの間隔を変化させるズームレンズにおいて、広角端から望遠端へのズーミングに際し、前記後群中最も負の屈折力の強いレンズ群を物体側へ移動させ、前記第３群全体又は一部のレンズ群を光軸に垂直方向に変位させて防振を行い、下記の条件式を満足することを特徴としたズームレンズ。
０．０４  ＜  ｜ｍＲＮ−ｍＲＰ｜／ｆｔ  ＜０．０６
ここで、
ｆｔは望遠端における全系の焦点距離、
ｍＲＰは広角端から望遠端へズーミングする際の前記後群中最も正の屈折力の強いレンズ群の光軸方向の移動量、
ｍＲＮは広角端から望遠端へズーミングする際の前記後群中最も負の屈折力の強いレンズ群の光軸方向の移動量である。
【請求項２】
下記の条件式を満足することを特徴とした請求項１に記載のズームレンズ。
０．１５＜ｆ３ａ／ｆｔ＜０．３５
−２．５＜β３ａｔ＜−１．１
０．７＜｜ｆ３ａ／ｆ３｜＜１．６
５＜βＲｔ＜０．９５
０．１５＜ｆ３／ｆｔ＜０．３５
ここで、
ｆ３は第３レンズ群の焦点距離、
ｆ３ａは第３レンズ群中防振時光軸と垂直に移動するレンズ群の焦点距離、
β３ａｔは第３レンズ群中防振時光軸と垂直に移動するレンズ群の横倍率、
βＲｔは第３レンズ群中防振時光軸と垂直に移動するレンズ群より像面側に配置されるレンズ群全体の横倍率である。
【請求項３】
下記の条件式を満足することを特徴とした請求項１に記載のズームレンズ。
０．４＜ｆ１／ｆｔ＜０．５５
１１＜｜ｆ２／ｆｔ｜＜０．２
ここで、
ｆ１は第１レンズ群の焦点距離、
ｆ２は第２レンズ群の焦点距離である。
【請求項４】
下記の条件式を満足することを特徴とした請求項１に記載のズームレンズ。
１５＜｜ｆＲＮ２／ｆｔ｜＜０．４
ここで、ｆＲＮ２は前記後群中２番目に負の屈折力の強いレンズ群の焦点距離である。
【請求項５】
下記の条件式を満足することを特徴とした請求項１に記載のズームレンズ。
０．１＜ｆＲＰ／ｆｔ＜０．１５
０．１２＜｜ｆＲＮ／ｆｔ｜＜０．２
−０．２５＜    ｍ１／ｆｔ＜−０．１５
−０．１５＜  ｍＲＮ／ｆｔ＜−０．０８
ここで、
ｆＲＰは前記後群中最も正の屈折力の強いレンズ群の焦点距離、
ｆＲＮは前記後群中最も負の屈折力の強いレンズ群の焦点距離、
ｍ１は広角端から望遠端へズーミングする際の第１レンズ群の光軸方向の移動量である。
【請求項６】
無限遠から至近へのフォーカシングに際し、前記後群中最も負の屈折力の強いレンズ群を光軸方向像面側へ移動させたことを特徴とした請求項１に記載のズームレンズ。
【請求項７】
無限遠から至近へのフォーカシングに際し、前記後群中最も正の屈折力の強いレンズ群を光軸方向物体側へ移動させたことを特徴とした請求項１に記載のズームレンズ。
【請求項８】
固体撮像素子に像を形成することを特徴とする請求項１乃至請求項７の何れか１項に記載のズームレンズ。
【請求項９】
請求項１乃至請求項８の何れか１項に記載のズームレンズと、該ズームレンズによって形成された像を受光する固体撮像素子とを有していることを特徴とする撮像装置。
【発明の詳細な説明】
【技術分野】
【０００１】
本発明は、ズームレンズ及びそれを有した光学機器に関し、特に一眼レフカメラやビデオカメラ等に好適に用いられる高変倍比のズームレンズに関するものである。
【背景技術】
【０００２】
進行中の車等移動物体上からの撮影では撮影系に振動が伝わり撮影画像にブレが生じる。また焦点距離の長いレンズやＦＮｏの大きい暗いレンズでの手持ち撮影では手ブレにより、撮影画像にブレが生じることがある。これらのブレを光学的または電気的に補正したデジタルスチルカメラやビデオカメラ或いは撮影レンズが発売されており、手ブレ補正或いは防振は一般的なものとなっている。
【０００３】
また、従来ズームレンズのフォーカシング方法として、第１レンズ群を移動させる、所謂前玉フォーカス式や、第２レンズ群以降のレンズ群を移動させる、所謂インナーフォーカス式、リアフォーカス式が知られている。
【０００４】
一般にインナーフォーカス式やリアフォーカス式のズームレンズは、前玉フォーカス式のズームレンズに比べて、第１レンズ群の光線有効径が小さくなるので、レンズ系全体の小型化が図れるという利点を有している。また、比較的小型軽量のレンズ群を移動させてフォーカシングを行うため、特にオートフォーカスカメラにおいては迅速なフォーカシングが可能となるといった特徴も有している。
【０００５】
従来、このような防振機能を有し且つインナーフォーカス式やリアフォーカス式のズームレンズのとして、特許文献１、特許文献２が開示されている。
【先行技術文献】
【特許文献】
【０００６】
【特許文献１】特開２０００−４７１０７号公報
【特許文献２】特開２００８−３０４８５７号公報
【発明の概要】
【発明が解決しようとする課題】
【０００７】
近年、一眼レフカメラにおいても従来の銀塩カメラに代わってデジタルカメラが主流となっている。また、撮像センサーの画素数が年々増加してており、インクジェットプリンターなどの普及で撮影画像を拡大鑑賞する機会が増えている。拡大鑑賞した場合、撮影レンズの収差や手ブレ等による画像の劣化が顕著に表れるようになる。このような鑑賞環境の変化により、撮影レンズの更なる小型軽量化、光学性能向上、防振機能の向上が求められている。
【０００８】
そこで、本発明は、上記課題を解決するためになされたもので、オートフォーカスカメラに好適なリアフォーカス、インナーフォーカス式で多群移動ズームにより高画質化、コンパクト化を達成すること。且つ軽量なレンズ群を駆動することで省エネと良好な防振性能を達成することが可能な望遠ズームレンズを提供することを目的とする。
【課題を解決するための手段】
【０００９】
上記目的を達成するために、本発明は、物体側から順に正の屈折力を有する第１レンズ群と、負の屈折力を有する第２レンズ群と、正の屈折力を有する第３レンズ群、及び複数のレンズ群より成る後群を有し、ズーミングに際して、前記レンズ群どうしの間隔を変化させるズームレンズにおいて、広角端から望遠端へのズーミングに際し、前記後群中最も負の屈折力の強いレンズ群を物体側へ移動させ、前記第３群全体又は一部のレンズ群を光軸に略垂直方向に変位させて防振を行い、ｆｔを望遠端における全系の焦点距離、ｍＲＰを広角端から望遠端へズーミングする際の前記後群中最も正の屈折力の強いレンズ群の光軸方向の移動量、ｍＲＮを広角端から望遠端へズーミングする際の前記後群中最も負の屈折力の強いレンズ群の光軸方向の移動量としたとき、
０．０４  ＜  ｜ｍＲＮ−ｍＲＰ｜／ｆｔ  ＜０．０６
なる条件を満足することを特徴としている。
【発明の効果】
【００１０】
本発明によればオートフォーカスカメラに好適なリアフォーカス、インナーフォーカス式で且つ防振機能を備え、高画質でコンパクトな望遠ズームレンズを提供することができる。
【図面の簡単な説明】
【００１１】
【図１】本発明の実施例１のズームレンズの広角端（短焦点距離端）において無限遠物体に合焦したときのレンズ断面図
【図２】実施例１のズームレンズの広角端（短焦点距離端）において無限遠物体に合焦させたときの縦収差図
【図３】実施例１のズームレンズの望遠端（長焦点距離端）において無限遠物体に合焦させたときの縦収差図
【図４】実施例１のズームレンズの広角端（短焦点距離端）において無限遠物体に合焦させたときの横収差図
【図５】実施例１のズームレンズの広角端（短焦点距離端）において無限遠物体に合焦させ、０．３度防振したときの横収差図
【図６】実施例１のズームレンズの望遠端（長焦点距離端）において無限遠物体に合焦させたときの横収差図
【図７】実施例１のズームレンズの望遠端（長焦点距離端）において無限遠物体に合焦させ、０．３度防振したときの横収差図
【図８】本発明の実施例２のズームレンズの広角端（短焦点距離端）において無限遠物体に合焦したときのレンズ断面図
【図９】実施例２のズームレンズの広角端（短焦点距離端）において無限遠物体に合焦させたときの縦収差図
【図１０】実施例２のズームレンズの望遠端（長焦点距離端）において無限遠物体に合焦させたときの縦収差図
【図１１】実施例２のズームレンズの広角端（短焦点距離端）において無限遠物体に合焦させたときの横収差図
【図１２】実施例２のズームレンズの広角端（短焦点距離端）において無限遠物体に合焦させ、０．３度防振したときの横収差図
【図１３】実施例２のズームレンズの望遠端（長焦点距離端）において無限遠物体に合焦させたときの横収差図
【図１４】実施例２のズームレンズの望遠端（長焦点距離端）において無限遠物体に合焦させ、０．３度防振したときの横収差図
【図１５】本発明の実施例３のズームレンズの広角端（短焦点距離端）において無限遠物体に合焦したときのレンズ断面図
【図１６】実施例３のズームレンズの広角端（短焦点距離端）において無限遠物体に合焦させたときの縦収差図
【図１７】実施例３のズームレンズの望遠端（長焦点距離端）において無限遠物体に合焦させたときの縦収差図
【図１８】実施例３のズームレンズの広角端（短焦点距離端）において無限遠物体に合焦させたときの横収差図
【図１９】実施例３のズームレンズの広角端（短焦点距離端）において無限遠物体に合焦させ、０．３度防振したときの横収差図
【図２０】実施例３のズームレンズの望遠端（長焦点距離端）において無限遠物体に合焦させたときの横収差図
【図２１】実施例３のズームレンズの望遠端（長焦点距離端）において無限遠物体に合焦させ、０．３度防振したときの横収差図
【図２２】本発明の実施例４のズームレンズの広角端（短焦点距離端）において無限遠物体に合焦したときのレンズ断面図
【図２３】実施例４のズームレンズの広角端（短焦点距離端）において無限遠物体に合焦させたときの縦収差図
【図２４】実施例４のズームレンズの望遠端（長焦点距離端）において無限遠物体に合焦させたときの縦収差図
【図２５】実施例３のズームレンズの広角端（短焦点距離端）において無限遠物体に合焦させたときの横収差図
【図２６】実施例３のズームレンズの広角端（短焦点距離端）において無限遠物体に合焦させ、０．３度防振したときの横収差図
【図２７】実施例３のズームレンズの望遠端（長焦点距離端）において無限遠物体に合焦させたときの横収差図
【図２８】実施例３のズームレンズの望遠端（長焦点距離端）において無限遠物体に合焦させ、０．３度防振したときの横収差図
【発明を実施するための形態】
【００１２】
以下に、本発明の好ましい実施の形態を、添付の図面に基づいて詳細に説明する。
【００１３】
図１は本発明の実施例１のズームレンズの広角端（短焦点距離端）において無限遠物体に合焦したときのレンズ断面図である。
【００１４】
図２は実施例１のズームレンズの広角端（短焦点距離端）において無限遠物体に合焦させたときの縦収差図である。
【００１５】
図３は実施例１のズームレンズの望遠端（長焦点距離端）において無限遠物体に合焦させたときの縦収差図である。
【００１６】
図４は実施例１のズームレンズの広角端（短焦点距離端）において無限遠物体に合焦させたときの横収差図である。
【００１７】
図５は実施例１のズームレンズの広角端（短焦点距離端）において無限遠物体に合焦させ、０．３度防振したときの横収差図である。
【００１８】
図６は実施例１のズームレンズの望遠端（長焦点距離端）において無限遠物体に合焦させたときの横収差図である。
【００１９】
図７は実施例１のズームレンズの望遠端（長焦点距離端）において無限遠物体に合焦させ、０．３度防振したときの横収差図である。
【００２０】
図８は本発明の実施例２のズームレンズの広角端（短焦点距離端）において無限遠物体に合焦したときのレンズ断面図である。
【００２１】
図９は実施例２のズームレンズの広角端（短焦点距離端）において無限遠物体に合焦させたときの縦収差図である。
【００２２】
図１０は実施例２のズームレンズの望遠端（長焦点距離端）において無限遠物体に合焦させたときの縦収差図である。
【００２３】
図１１は実施例２のズームレンズの広角端（短焦点距離端）において無限遠物体に合焦させたときの横収差図である。
【００２４】
図１２は実施例２のズームレンズの広角端（短焦点距離端）において無限遠物体に合焦させ、０．３度防振したときの横収差図である。
【００２５】
図１３は実施例２のズームレンズの望遠端（長焦点距離端）において無限遠物体に合焦させたときの横収差図である。
【００２６】
図１４は実施例２のズームレンズの望遠端（長焦点距離端）において無限遠物体に合焦させ、０．３度防振したときの横収差図である。
【００２７】
図１５は本発明の実施例３のズームレンズの広角端（短焦点距離端）において無限遠物体に合焦したときのレンズ断面図である。
【００２８】
図１６は実施例３のズームレンズの広角端（短焦点距離端）において無限遠物体に合焦させたときの縦収差図である。
【００２９】
図１７は実施例３のズームレンズの望遠端（長焦点距離端）において無限遠物体に合焦させたときの縦収差図である。
【００３０】
図１８は実施例３のズームレンズの広角端（短焦点距離端）において無限遠物体に合焦させたときの横収差図である。
【００３１】
図１９は実施例３のズームレンズの広角端（短焦点距離端）において無限遠物体に合焦させ、０．３度防振したときの横収差図である。
【００３２】
図２０は実施例３のズームレンズの望遠端（長焦点距離端）において無限遠物体に合焦させたときの横収差図である。
【００３３】
図２１は実施例３のズームレンズの望遠端（長焦点距離端）において無限遠物体に合焦させ、０．３度防振したときの横収差図である。
【００３４】
図２２は本発明の実施例４のズームレンズの広角端（短焦点距離端）において無限遠物体に合焦したときのレンズ断面図である。
【００３５】
図２３は実施例４のズームレンズの広角端（短焦点距離端）において無限遠物体に合焦させたときの縦収差図である。
【００３６】
図２４は実施例４のズームレンズの望遠端（長焦点距離端）において無限遠物体に合焦させたときの縦収差図である。
【００３７】
図２５は実施例３のズームレンズの広角端（短焦点距離端）において無限遠物体に合焦させたときの横収差図である。
【００３８】
図２６は実施例３のズームレンズの広角端（短焦点距離端）において無限遠物体に合焦させ、０．３度防振したときの横収差図である。
【００３９】
図２７は実施例３のズームレンズの望遠端（長焦点距離端）において無限遠物体に合焦させたときの横収差図である。
【００４０】
図２８は実施例３のズームレンズの望遠端（長焦点距離端）において無限遠物体に合焦させ、０．３度防振したときの横収差図である。
【００４１】
防振していない状態の横収差図において上段は最大像高に対し７割の像高での収差図、下段は画面中心の収差図である。
【００４２】
防振時の横収差図において上段は最大像高に対し７割の像高での収差図、中段は画面中心の収差図、下段は最大像高に対し−７割の像高での収差図である。
【００４３】
レンズ断面図において、左方が物体側（前方）で、右方が像側（後方）である。レンズ断面図において、ｉは物体側からレンズ群の順番を示し、Ｌｉは第ｉレンズ群である。
【００４４】
図１のレンズ断面図においてＬ１は正の屈折力の第１レンズ群、Ｌ２は負の屈折力の第２レンズ群、Ｌ３は正の屈折力の第３レンズ群、Ｌ４は正の屈折力の第４レンズ群、Ｌ５は負の屈折力の第５レンズ群である。ここで、屈折力とは光学的パワーのことであり、焦点距離の逆数である。
【００４５】
図８、図１５、図２２のレンズ断面図においてＬ１〜Ｌ６は順に正の屈折力の第１レンズ群、負の屈折力の第２レンズ群、正の屈折力の第３レンズ群、負の屈折力の第４レンズ群、正の屈折力の第５レンズ群、負の屈折力の第６レンズ群である。
【００４６】
ＳＰは開口絞りである。
【００４７】
レンズ後方には不図示の像面があり、ビデオカメラやデジタルスチルカメラの撮影光学系として使用する際にはＣＣＤセンサやＣＭＯＳセンサなどの固体撮像素子の撮像面が、銀塩フィルム用カメラのときはフィルム面に相当する感光面が置かれる。
【００４８】
縦収差図中、球面収差、歪曲、色収差において、実線はｄ線、２点鎖線はｇ線であり、縦収差図中、非点収差において、鎖線はメリディオナル像面、実線はサジタル像面である。
【００４９】
ωは半画角、ＦｎｏはＦナンバーである。
【００５０】
横収差図において実線はメリジオナル像面、破線はサジタル像面である。又、横収差図において横軸は瞳面上における高さである。
【００５１】
尚、以下の各実施例において広角端と望遠端は各レンズ群が機構上光軸上を移動可能な範囲の両端に位置したときのズーム位置をいう。
【００５２】
矢印は広角端から望遠端へのズーミングにおける各レンズ群の移動軌跡を示している。
【００５３】
図１の実施例１では、広角端から望遠端へのズーミングに際して矢印の如く第１レンズ群Ｌ１は物体側へ移動している。第２レンズ群Ｌ２は第１レンズ群Ｌ１との間隔を大にしつつ像側へ移動している。第３レンズ群Ｌ３は第２レンズ群Ｌ２との間隔を小にしつつ物体側へ移動している。第４レンズ群Ｌ４は第３レンズ群Ｌ３との間隔を大にしつつ物体側へ移動している。第５レンズ群Ｌ５は第４レンズ群Ｌ４との間隔を小にしつつ物体側へ移動している。絞りＳＰは第３レンズ群Ｌ３と一体に移動している。
【００５４】
図８、図１５、図２２の実施例２、実施例３、実施例４では、広角端から望遠端へのズーミングに際して矢印の如く第１レンズ群Ｌ１は物体側へ移動している。第２レンズ群Ｌ２は固定である。第３レンズ群Ｌ３は第２レンズ群Ｌ２との間隔を小にしつつ物体側へ移動している。第４レンズ群Ｌ４は第３レンズ群Ｌ３との間隔を大にしつつ物体側へ移動している。第５レンズ群Ｌ５は第４レンズ群Ｌ４との間隔を小にしつつ物体側へ移動している。第６レンズ群Ｌ６は第５レンズ群Ｌ５との間隔を小にしつつ物体側へ移動している。絞りＳＰは第３レンズ群Ｌ３と一体に移動している。
【００５５】
次に、各実施例の前述した特徴以外の特徴について説明する。
【００５６】
各実施例の光学系は、物体側から順に正の屈折力を有する第１レンズ群と、負の屈折力を有する第２レンズ群と、正の屈折力を有する第３レンズ群、及び複数のレンズ群より成る後群を有している。ズーミングに際して、前記レンズ群同士の間隔を変化させている。
【００５７】
第３レンズ群を物体側より正の屈折力を有する第３ａ群と第３ｂ群に分割し、第３ａ群を光軸と略垂直方向に変位させて防振を行っている。
【００５８】
またｆｔを望遠端における全系の焦点距離、ｍＲＰを広角端から望遠端へズーミングする際の前記後群中最も正の屈折力の強いレンズ群の光軸方向の移動量、ｍＲＮを広角端から望遠端へズーミングする際の前記後群中最も負の屈折力の強いレンズ群の光軸方向の移動量としたとき、
０．０４  ＜  ｜ｍＲＮ−ｍＲＰ｜／ｆｔ  ＜０．０６  ・・・（１）
なる条件式を満足している。
【００５９】
実施例１では、ｍＲＰはＬ４、ｍＲＮはＬ５である。実施例２、実施例３、実施例４では、ｍＲＰはＬ５、ｍＲＮはＬ６である。
【００６０】
条件式（１）は望遠端の焦点距離に対し広角端から望遠端へズーミングする際の後群中最も正の屈折力の強いレンズ群の光軸方向の移動量と最も負の屈折力の強いレンズ群の光軸方向の移動量の差の絶対値を規定している。これは高変倍を達成しつつレンズ全長を短くするためのものである。
【００６１】
条件式（１）の下限値を超えてｍＲＮとｍＲＰの差の絶対値が小さくなると後群での変倍効果が小さくなりレンズ全長が長くなる。
【００６２】
条件式（１）の上限値を超えてｍＲＮとｍＲＰの差の絶対値が大きくなると後群での変倍効果が大きくなるが、レンズ群の移動スペースを確保するために、広角端でのレンズ全長が長くなってくる。
【００６３】
さらに各実施例の光学系は、ｆ３を第３レンズ群の焦点距離、ｆ３ａを第３レンズ群中防振時光軸と略垂直に移動するレンズ群の焦点距離、β３ａｔを第３レンズ群中防振時光軸と略垂直に移動するレンズ群の横倍率、βＲｔを第３レンズ群中防振時光軸と略垂直に移動するレンズ群より像面側に配置されるレンズ群全体の横倍率としたとき、
０．１５＜    ｆ３ａ／ｆｔ    ＜０．３５・・・（２）
−２．５＜      β３ａｔ      ＜−１．１・・・（３）
０．７＜  ｜ｆ３ａ／ｆ３｜  ＜１．６  ・・・（４）
５＜      βＲｔ        ＜０．９５・・・（５）
０．１５＜    ｆ３／ｆｔ      ＜０．３５・・・（６）
なる条件式を満足させている。
【００６４】
条件式（２）〜（６）は、第３レンズ群を物体側より正の屈折力を有する第３ａ群と第３ｂ群に分割し、第３ａ群を光軸と略垂直方向に変位させて防振を行うための条件式である。
【００６５】
防振群の光軸と垂直方向の変位量に対する結像点の光軸と垂直方向の変位の比は、防振群の横倍率をβａ、防振群より像側のレンズ群の横倍率をβＲとしたとき、
（１−βａ）×βＲ
で表すことができる。また、手ブレによる撮影光学系の光軸の振れ角をθ、光学系の焦点距離をｆとしたとき、像点のブレ量は、
ｆ×ｔａｎθ
となる。
【００６６】
これらの式より、振れ角θの手ブレを補正するために必要な防振群の変位量は、
ｆ×ｔａｎθ／｛（１−βａ）×βＲ｝
となる。
【００６７】
防振機構の小型化及び省電力化を図るためには、防振群の最大変位量が小さいことが求められる。逆に防振群の光軸と垂直方向の変位量に対する結像点の光軸と垂直方向の変位の比が大きすぎると防振群の光軸と垂直方向の変位量を高精度に制御する必要が生じる。
【００６８】
本実施例では条件式（２）〜（６）を満足することで、防振群の光軸と垂直方向の最大変位量を小さくし、且つ防振群の光軸と垂直方向の変位量に対する結像点の光軸と垂直方向の変位の比を適切にしている。
さらに各実施例の光学系は、ｆ１を第１レンズ群の焦点距離、ｆ２を第２レンズ群の焦点距離としたとき、
０．４  ＜    ｆ１／ｆｔ    ＜０．５５・・・（７）
１１＜  ｜ｆ２／ｆｔ｜  ＜０．２  ・・・（８）
なる条件式を満足させている。
【００６９】
条件式（７）は望遠端での全系の焦点距離に対する第１群の焦点距離を規定するものである。
【００７０】
条件式（７）の下限値を超えて第１群の正の屈折力が強くなるとレンズ全長のコンパクト化には有利だが第１群で発生する諸収差が増大しこれをバランス良く補正することが困難となる。
【００７１】
条件式（７）の上限値を超えて第１群の正の屈折力が弱くなると収差補正には有利な方向だがレンズ全長が増大する。
【００７２】
条件式（８）は望遠端での全系の焦点距離に対する第２群の焦点距離を規定するものである。
【００７３】
条件式（８）の下限値を超えて第２群の負の屈折力が強くなるとレンズ全長のコンパクト化には有利だが第２群で発生する諸収差が増大しこれをバランス良く補正することが困難となる。
【００７４】
条件式（８）の上限値を超えて第２群の負の屈折力が弱くなると収差補正には有利な方向だがレンズ全長が増大する。
【００７５】
さらに実施例２、実施例３、実施例４の光学系は、ｆＲＮ２を前記後群中２番目に負の屈折力の強いレンズ群の焦点距離としたとき、
１５＜  ｜ｆＲＮ２／ｆｔ｜  ＜０．４・・・（９）
なる条件式を満足させている。
【００７６】
該実施例では、後群を負の屈折力の第４群Ｌ４、正の屈折力の第５群Ｌ５、負の屈折力の第６群Ｌ６で構成している。ｆＲＮ２は前記Ｌ４の焦点距離である。
【００７７】
条件式（９）は望遠端での全系の焦点距離に対する第４群の焦点距離を規定するものである。
【００７８】
条件式（９）の下限値を超えて第４群の負の屈折力が強くなるとレンズ系のコンパクト化には有利だが収差補正が困難となる。
【００７９】
条件式（９）の上限値を超えて第４群の負の屈折力が弱くなるとレンズ全長が増大してくる。
【００８０】
さらに各実施例の光学系は、ｆＲＰを前記後群中最も正の屈折力の強いレンズ群の焦点距離、ｆＲＮを前記後群中最も負の屈折力の強いレンズ群の焦点距離、ｍ１を広角端から望遠端へズーミングする際の第１レンズ群の光軸方向の移動量としたとき、
０．１＜    ｆＲＰ／ｆｔ  ＜０．１５  ・・・（１０）
０．１２＜  ｜ｆＲＮ／ｆｔ｜＜０．２    ・・・（１１）
−０．２５＜      ｍ１／ｆｔ  ＜−０．１５・・・（１２）
−０．１５＜    ｍＲＮ／ｆｔ  ＜−０．０８・・・（１３）
なる条件式を満足させている。
【００８１】
条件式（１０）、条件式（１１）を満足するように後群中の各レンズ群の焦点距離を設定することで光学系の小型化を達成している。
【００８２】
条件式（１２）は望遠端での全系の焦点距離に対する広角端から望遠端へズーミングする際の第１群の移動量を規定するものである。
【００８３】
条件式（１３）は望遠端での全系の焦点距離に対する広角端から望遠端へズーミングする際の前記後群中最も負の屈折力の強いレンズ群の光軸方向の移動量を規定するものである。
【００８４】
条件式（１２）、条件式（１３）はどちらも広角端でのレンズ全長を短くし携帯性を良くするものである。
【００８５】
条件式（１２）の下限値を超えて移動量が大きくなると広角端でのレンズ全長が短くなるが第１群の移動機構を構成するための鏡筒構造が複雑となる。
【００８６】
条件式（１２）の上限値を超えて移動量が小さくなると広角端でのレンズ全長が長くなり、携帯性が悪くなる。
【００８７】
条件式（１３）の下限値を超えて移動量が大きくなると広角端でのレンズ全長が短くなるが前記後群中最も負の屈折力の強いレンズ群の位置敏感度が大きくなり鏡筒を高精度にする必要が生じる。
【００８８】
条件式（１３）の上限値を超えて移動量が小さくなると広角端でのレンズ全長が長くなり、携帯性が悪くなる。
【００８９】
一般的にズームレンズのフォーカス方式としては、第１群を用いて行う所謂前玉フォーカスが一般的である。これは鏡筒構造を簡単にできるためであるが、望遠ズームでは第１群のレンズ重量が重いためオートフォーカス用のズームレンズでは重量の軽いレンズ群でのフォーカシングが求められている。
【００９０】
そこで、各実施例の光学系は、無限遠から至近へのフォーカシングに際し、第１群に比べ重量の軽い、後群中最も負の屈折力の強いレンズ群を光軸方向像面側へ移動させている。具体的には、実施例１ではＬ５、実施例２〜４ではＬ６を光軸方向像面側へ移動させている。
【００９１】
また各実施例の光学系において、無限遠から至近へのフォーカシングを前記後群中最も正の屈折力の強いレンズ群を光軸方向物体側へ移動させて行うことも可能である。具体的には、実施例１ではＬ４、実施例２〜４ではＬ５を光軸方向物体側へ移動して無限遠から至近へのフォーカシングを行うことが可能である。
【００９２】
実施例２〜４では、前記Ｌ６又は、Ｌ５の移動と同時に無限遠から至近へのフォーカシングに際しＬ４を物体側へ移動させることで至近性能の向上を図ることが可能である。
【００９３】
以上のように各実施例によれば、オートフォーカスカメラに好適なリアフォーカス、インナーフォーカス式で且つ防振機能を備え、高画質でコンパクトな望遠ズームレンズを達成することができる。
【００９４】
［実施例］
以下に、実施例１〜４に各々対応する数値実施例１〜４を示す。各数値実施例において、ｉは物体側からの面の順番を示し、ｒｉは第ｉ番目（第ｉ面）の曲率半径、ｄｉは第ｉ面と第ｉ＋１面との間の間隔、ｎｄｉ、νｄｉはそれぞれｄ線を基準とした屈折率、アッベ数を示す。ｆは焦点距離、ＦｎｏはＦナンバーである。
【００９５】
（非球面データ）には、非球面を次式で表した場合の非球面係数を示す。
【００９６】
【数１】
2014041223.tif 000003
【００９７】
但し、
ｘ：光軸方向の基準面からの変位量
ｈ：光軸に対して垂直な方向の高さ
Ｒ：ベースとなる２次曲面の半径
ｋ：円錐定数
Ｃｎ：ｎ次の非球面係数
なお、「Ｅ−Ｚ」の表示は「１０−Ｚ」を意味する。
【００９８】
又前述の各条件式と数値実施例における諸数値との関係を表１に示す。
【００９９】
[数値実施例１]
単位 mm
面データ
面番号       r        d      nd         vd       有効径
1        114.416    5.60   1.48749    70.2       66.41
2       1056.763    0.15                         66.18
3        108.690    2.80   1.74950    35.0       64.97
4         67.477    0.12                         62.66
5         68.051    9.90   1.43387    95.1       62.66
6        658.071  (可変)                         61.82
7        282.822    2.50   1.83400    37.2       29.49
8        525.200    1.20   1.72916    54.7       28.92
9         59.617    4.50                         28.23
10        -93.892    1.40   1.56907    71.3       28.06
11         35.605    2.50   1.80518    25.4       28.34
12         72.850  (可変)                         28.27
13        103.533    6.50   1.48749    70.2       29.62
14        -30.313    1.00   1.58144    40.8       29.68
15        -63.068    1.00                        29.98
16*        38.700    5.00   1.60300    65.4       29.26
17         59.393    1.80   1.67270    32.1       27.83
18         53.939    3.50                         27.11
19(絞り)    ∞      10.66                         26.60
20        -51.961    2.10   1.60311    60.6       23.91
21        709.718  (可変)                         24.08
22        441.272    3.50   1.48749    70.2       28.00
23        -69.183    0.15                         28.13
24        193.880    1.60   1.80518    25.4       27.92
25         47.285    1.50                         27.55
26        112.741    3.00   1.51633    64.1       27.63
27       -148.222    0.15                         27.78
28         43.305    4.10   1.63854    55.5       27.96
29       -212.409  (可変)                         27.74
30        783.115    1.35   1.83481    42.7       27.12
31         38.590    5.00   1.72825    28.5       26.54
32       -187.004    1.35   1.77250    49.6       26.27
33         56.344  (可変)                         25.87
像面        ∞   
非球面データ
第16面
K = 0.00000e+000  A 4=-3.85044e-007  
各種データ
ズーム比      3.77 
広角     中間     望遠
焦点距離     102.74   197.83   387.19  
Fナンバー      4.63     5.38     5.83  
画角          11.89     6.24     3.20  
像高          21.64    21.64    21.64  
レンズ全長    161.47  187.52   197.18
BF            71.35   89.88   115.35
d 6            4.11    51.48    88.79  
d12           23.74    14.54     7.17  
d21           28.54    21.73    15.54  
d29           21.16    15.84     1.75    
d33           71.35   89.88   115.35
入射瞳位置    60.65   177.61   388.63  
射出瞳位置   -61.51   -51.13   -41.75  
前側主点位置  83.94    97.90  -178.49  
後側主点位置 -31.39  -107.94  -271.85  
ズームレンズ群データ
群  始面    焦点距離  
1    1     185.01        
2    7     -48.86        
3   13     121.02        
4   22      47.72        
5   30     -63.62         
[数値実施例2]
単位 mm
面データ
面番号       r        d      nd         vd       有効径
1        110.584    7.00   1.48749    70.2       66.25
2       7033.918    0.15                         65.85
3        100.584    2.80   1.74950    35.0       64.24
4         61.443    0.12                         61.59
5         61.918    9.20   1.43387    95.1       61.59
6        352.306  (可変)                         60.87
7        106.639    2.50   1.83400    37.2       29.34
8        525.200    1.20   1.72916    54.7       28.79
9         43.147    4.80                         27.66
10        -56.065    1.40   1.56907    71.3       27.57
11         43.554    2.50   1.80518    25.4       28.18
12        118.512  (可変)                         28.19
13        112.198    5.80   1.48749    70.2       29.68
14        -33.659    1.00   1.67270    32.1       29.75
15        -58.078    2.00                        30.13
16         43.859    4.50   1.60300    65.4       29.44
17         56.210    1.80   1.67270    32.1       28.20
18         57.556    3.50                         27.64
19(絞り)    ∞     (可変)                         27.21
20        -43.079    2.10   1.60311    60.6       23.33
21       -208.648  (可変)                         23.83
22        352.540    3.50   1.48749    70.2       28.37
23        -63.013    0.15                         28.51
24        150.359    1.60   1.80518    25.4       28.26
25         44.552    2.00                         28.08
26        125.198    3.00   1.51633    64.1       28.35
27       -170.987    0.15                         28.74
28         41.764    4.10   1.63854    55.5       29.73
29       -246.502  (可変)                         29.61
30        418.847    1.35   1.83481    42.7       28.94
31         36.582    5.00   1.72825    28.5       28.20
32       -376.556    1.35   1.77250    49.6       27.91
33         53.921  (可変)                         27.42
像面        ∞   
各種データ
ズーム比      3.80 
広角     中間     望遠
焦点距離     101.58   191.46   386.26  
Fナンバー      4.63     5.24     5.83  
画角          12.02     6.45     3.21  
像高          21.64    21.64    21.64  
レンズ全長    160.63  191.88    204.09  
BF            70.98    84.31    107.22
d 6            5.48    50.07    85.18  
d12           20.00    13.15     7.00  
d19           11.10    17.41    23.14  
d21           26.77    19.33    12.57  
d29           22.70    17.35     1.63  
d33           70.98    84.31   107.22  
入射瞳位置    63.14   178.17   382.30  
射出瞳位置   -62.09   -57.48   -52.38  
前側主点位置  87.18   111.09  -166.24  
後側主点位置 -30.59  -107.15  -279.03  
ズームレンズ群データ
群  始面    焦点距離  
1    1     181.18
2    7     -47.63
3   13      68.92
4   20     -90.44
5   22      47.04
6   30     -64.99
[数値実施例3]
単位 mm
面データ
面番号       r        d      nd         vd       有効径
1        106.739    5.60   1.48749    70.2       66.52
2        485.684    0.15                         66.22
3        102.189    2.80   1.74950    35.0       65.13
4         64.464    0.12                         62.73
5         64.987    9.70   1.43387    95.1       62.74
6        686.779  (可変)                         62.08
7        123.616    1.40   1.71300    53.9       28.35
8         39.871    4.50                         27.41
9        -65.922    1.40   1.61800    63.4       27.40
10         42.893    3.00   1.84666    23.8       28.18
11        222.886  (可変)                         28.23
12*        87.392    5.50   1.48749    70.2       29.85
13        -39.236    1.00   1.67270    32.1       29.87
14        -62.554    1.50                         30.09
15         34.892    4.60   1.60300    65.4       29.04
16        159.637    1.80   1.83400    37.2       28.14
17         51.833    3.50                         26.95
18(絞り)    ∞     (可変)                         26.45
19        -41.123    2.10   1.60311    60.6       22.69
20       -906.639  (可変)                         23.11
21        562.917    3.50   1.48749    70.2       27.59
22        -60.595    0.15                         27.77
23        138.426    1.60   1.80518    25.4       27.60
24         45.386    1.50                         27.52
25         96.083    3.00   1.51633    64.1       27.70
26       -162.281    0.15                         28.00
27         42.281    4.10   1.63854    55.5       28.77
28       -236.692  (可変)                         28.61
29      -5627.048    1.35   1.83481    42.7       27.96
30         52.210    4.20   1.72825    28.5       27.43
31        -82.691    1.35   1.77250    49.6       27.25
32         55.479  (可変)                         26.71
像面        ∞   
非球面データ
第12面
K = 0.00000e+000  A 4=-5.44704e-007  A 6= 5.08805e-010  
各種データ
ズーム比      3.77 
広角     中間     望遠
焦点距離     102.97   196.65   387.81  
Fナンバー      4.63     5.38     5.83  
画角          11.87     6.28     3.19  
像高          21.64    21.64    21.64  
レンズ全長   161.07   188.30   200.83
BF            71.07   88.42   111.01 
d 6           11.76    56.34    91.46  
d11           22.66    14.76     7.78  
d18           11.63    13.18    15.16  
d20           25.56    19.78    15.19  
d28           19.89    14.66     1.68  
d32           71.07    88.42   111.01  
入射瞳位置    70.19   189.47   400.18  
射出瞳位置   -60.30   -52.23   -46.79  
前側主点位置  92.45   111.19  -165.09  
後側主点位置 -31.90  -108.23  -276.80  
ズームレンズ群データ
群  始面    焦点距離  
1    1     184.36        
2    7     -49.19        
3   12      63.84       
4   19     -71.49         
5   21      43.45
6   29     -59.68         
[数値実施例4]
単位 mm
面データ
面番号       r        d      nd         vd       有効径
1        108.034    6.30   1.48749    70.2       66.25
2       1109.534    0.15                         65.92
3        101.512    2.80   1.74950    35.0       64.52
4         62.549    0.12                         61.96
5         63.042    9.50   1.43387    95.1       61.97
6        444.186  (可変)                         61.24
7         80.819    1.40   1.71300    53.9       28.45
8         37.991    4.50                         27.46
9        -59.253    1.40   1.61800    63.4       27.43
10         46.591    2.80   1.84666    23.8       28.10
11        161.844  (可変)                         28.14
12        114.343    6.00   1.48749    70.2       29.81
13        -35.131    0.00                         29.91
14        -35.131    1.00   1.63980    34.5       29.91
15        -61.910    1.00                        30.24
16         41.151    3.50   1.60300    65.4       29.67
17         56.547    1.80   1.67270    32.1       28.77
18         57.537    3.50                         28.17
19(絞り)    ∞     (可変)                         27.73
20        -45.251    2.10   1.60311    60.6       23.39
21       -408.853  (可変)                         23.82
22        334.329    3.50   1.48749    70.2       28.72
23        -61.045    0.15                         28.84
24        160.613    1.60   1.80518    25.4       28.85
25         44.680    1.50                         28.71
26        101.919    3.00   1.51633    64.1       28.78
27       -184.186    0.15                         29.09
28         40.734    4.10   1.63854    55.5       30.00
29       -445.807  (可変)                         29.85
30        633.726    1.35   1.83481    42.7       29.16
31         39.749    4.88   1.72825    28.5       28.45
32       -170.481    1.35   1.77250    49.6       28.20
33         55.268  (可変)                         27.68
像面        ∞   
各種データ
ズーム比      3.81 
広角     中間     望遠
焦点距離     101.43   191.29   386.22  
Fナンバー      4.63     5.26     5.83  
画角          12.04     6.45     3.21  
像高          21.64    21.64    21.64  
レンズ全長   161.42   192.17   204.42
BF           70.82    84.66   107.53  
d 6            8.31    52.89    88.01  
d11           19.93    13.44     7.57  
d19           11.48    16.92    21.96  
d21           29.45    22.19    15.57  
d29           22.81    17.28     1.86  
d33           70.82    84.66   107.53  
入射瞳位置    62.86   177.44   380.43  
射出瞳位置   -64.68   -58.98   -53.46  
前側主点位置  88.36   113.99  -159.94  
後側主点位置 -30.61  -106.63  -278.69  
ズームレンズ群データ
群  始面    焦点距離  
1    1     181.37        
2    7     -47.42        
3   12      66.15        
4   20     -84.55         
5   22      47.14        
6   30     -63.87         
【０１００】
【表１】
2014041223.tif 000004
【０１０１】
以上、本発明の好ましい実施形態について説明したが、本発明はこれらの実施形態に限定されず、その要旨の範囲内で種々の変形及び変更が可能である。
【符号の説明】
【０１０２】
Ｌ１：第１レンズ群
Ｌ２：第２レンズ群
Ｌ３：第３レンズ群
Ｌ４：第４レンズ群
Ｌ５：第５レンズ群
Ｌ６：第６レンズ群
ＳＰ：開口絞り
縦収差図中、球面収差、歪曲、色収差において、
実線：ｄ線
２点鎖線：ｇ線
縦収差図中、非点収差において、
鎖線：メリディオナル像面
実線：サジタル像面
【図１】
2014041223.tif 000005
【図２】
2014041223.tif 000006
【図３】
2014041223.tif 000007
【図４】
2014041223.tif 000008
【図５】
2014041223.tif 000009
【図６】
2014041223.tif 000010
【図７】
2014041223.tif 000011
【図８】
2014041223.tif 000012
【図９】
2014041223.tif 000013
【図１０】
2014041223.tif 000014
【図１１】
2014041223.tif 000015
【図１２】
2014041223.tif 000016
【図１３】
2014041223.tif 000017
【図１４】
2014041223.tif 000018
【図１５】
2014041223.tif 000019
【図１６】
2014041223.tif 000020
【図１７】
2014041223.tif 000021
【図１８】
2014041223.tif 000022
【図１９】
2014041223.tif 000023
【図２０】
2014041223.tif 000024
【図２１】
2014041223.tif 000025
【図２２】
2014041223.tif 000026
【図２３】
2014041223.tif 000027
【図２４】
2014041223.tif 000028
【図２５】
2014041223.tif 000029
【図２６】
2014041223.tif 000030
【図２７】
2014041223.tif 000031
【図２８】
2014041223.tif 000032